【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
電力量計の機能部である電力量計本体部が正面側に配設されると共に前記電力量計本体部の隣に位置して正面側に電力量計端子部が設けられた電力量計ベース部、及び
前記電力量計本体部をカバーする電力量計本体部カバー部と前記電力量計端子部をカバーする電力量計端子部カバー部と前記電力量計本体部カバー部の前記電力量計ベース部の側に位置する嵌合用スカート部と前記嵌合用スカート部から延在し前記電力量計端子部カバー部の両側に位置する対を成す可撓性腕部とが一体に形成された電力量計本体部端子部共用カバーを備え、
前記嵌合用スカート部の前記電力量計端子部と反対側に位置する部分に形成された第１のカバー側嵌合部と前記電力量計ベース部の前記電力量計端子部と反対側に位置する部分
に形成された第１のベース側嵌合部とで第１の嵌合部が形成され、
前記対を成す可撓性腕部の各自由端に形成された第２のカバー側嵌合部と前記電力量計ベース部１に前記対を成す可撓性腕部に対応して設けられた対を成す第２のベース側嵌合部とで第２の嵌合部が形成され、
前記対を成す可撓性腕部の各内側に突設され正面から見た形状が直角三角形状の三角柱状の対を成すカバー側係止部と前記電力量計ベース部に前記対を成すカバー側係止部に対応して設けられ正面から見た形状が直角三角形状の三角柱状の対を成すベース側係止部とでスナップフィット係止部が形成され、
前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で、前記電力量計本体部端子部共用カバーが、前記電力量計本体部から前記電力量計端子部の方向へ移動されることにより、前記可撓性腕部の撓みにより前記スナップフィット係止部が作動して前記電力量計本体部端子部共用カバーの前記電力量計本体部から前記電力量計端子部の方向と逆の方向への移動が阻止され、前記第１の嵌合部の前記第１のカバー側嵌合部と前記第１の嵌合部の前記第１のベース側嵌合部とが嵌合して前記第１の嵌合部において電力量計本体部端子部共用カバーが前記電力量計ベース部から正面側に離脱するのを阻止され、前記第２の嵌合部の前記第２のカバー側嵌合部と前記第２の嵌合部の前記第２のベース側嵌合部とが嵌合して前記第２の嵌合部において電力量計本体部端子部共用カバーが前記電力量計ベース部から正面側に離脱するのを阻止される電力量計。
【請求項２】
請求項１に記載の電力量計において、前記電力量計本体部端子部共用カバーの前記電力量計本体部から前記電力量計端子部の方向への移動により、前記可撓性腕部が撓んで、前記三角柱状のカバー側係止部の直角三角形の長辺に相当する傾斜部が、前記三角柱状のベース側係止部の直角三角形の長辺に相当する傾斜部をスライドして乗り越えた後に前記可撓性腕部の撓みが無い状態に戻り、前記電力量計本体部端子部共用カバーの前記電力量計本体部から前記電力量計端子部の方向と逆の方向への移動が、前記三角柱状のカバー側係止部の直角三角形の短辺に相当する係止面が、前記三角柱状のベース側係止部の直角三角形の短辺に相当する係止面に当接することにより阻止されることを特徴とする電力量計。
【請求項３】
請求項１又は請求項２に記載の電力量計において、前記第１の嵌合部の前記第１のカバー側嵌合部と前記第１の嵌合部の前記第１のベース側嵌合部との嵌合により、前記スナップフィット係止部が作動した後の、前記電力量計本体部端子部共用カバーの前記電力量計本体部から前記電力量計端子部の方向への更なる移動が阻止されることを特徴とする電力量計。
【請求項４】
請求項３に記載の電力量計において、前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で且つ前記電力量計本体部端子部共用カバーが、前記電力量計本体部から前記電力量計端子部の方向へ移動される前の状態では、電力量計端子部カバー部と電力量計本体部との前記移動の方向の最短間隔Ａと前記移動の距離Ｂとの関係がＡ＞Ｂであることを特徴とする電力量計。
【請求項５】
請求項１〜請求項４の何れか一に記載の電力量計において、前記第１の嵌合部が上方に前記電力量計端子部が下方になるように電力量計が配設された状態で前記第１の嵌合部の前記第１のカバー側嵌合部と前記第１の嵌合部の前記第１のベース側嵌合部との嵌合により、前記第１の嵌合部における防水機能が生じることを特徴とする電力量計。
【請求項６】
請求項１〜請求項５の何れか一に記載の電力量計において、前記嵌合用スカート部にお
ける前記可撓性腕部の周囲に設けられ前記可撓性腕部を保護する保護部を持つことを特徴とする電力量計。
【手続補正２】
【補正対象書類名】明細書
【補正対象項目名】０００７
【補正方法】変更
【補正の内容】
【０００７】
この発明に係る電力量計は、電力量計の機能部である電力量計本体部が正面側に配設されると共に前記電力量計本体部の隣に位置して正面側に電力量計端子部が設けられた電力量計ベース部、及び前記電力量計本体部をカバーする電力量計本体部カバー部と前記電力量計端子部をカバーする電力量計端子部カバー部と前記電力量計本体部カバー部の前記電力量計ベース部の側に位置する嵌合用スカート部と前記嵌合用スカート部から延在し前記電力量計端子部カバー部の両側に位置する対を成す可撓性腕部とが一体に形成された電力量計本体部端子部共用カバーを備え、前記嵌合用スカート部の前記電力量計端子部と反対側に位置する部分に形成された第１のカバー側嵌合部と前記電力量計ベース部の前記電力量計端子部と反対側に位置する部分に形成された第１のベース側嵌合部とで第１の嵌合部が形成され、前記対を成す可撓性腕部の各自由端に形成された第２のカバー側嵌合部と前記電力量計ベース部に前記対を成す可撓性腕部に対応して設けられた対を成す第２のベース側嵌合部とで第２の嵌合部が形成され、前記対を成す可撓性腕部の各内側に突設され正面から見た形状が直角三角形状の三角柱状の対を成すカバー側係止部と前記電力量計ベース部に前記対を成すカバー側係止部に対応して設けられ正面から見た形状が直角三角形状の三角柱状の対を成すベース側係止部とでスナップフィット係止部が形成され、前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で、前記電力量計本体部端子部共用カバーが、前記電力量計本体部から前記電力量計端子部の方向へ移動されることにより、前記可撓性腕部の撓みにより前記スナップフィット係止部が作動して前記電力量計本体部端子部共用カバーの前記電力量計本体部から前記電力量計端子部の方向と逆の方向への移動が阻止され、前記第１の嵌合部の前記第１のカバー側嵌合部と前記第１の嵌合部の前記第１のベース側嵌合部とが嵌合して前記第１の嵌合部において電力量計本体部端子部共用カバーが前記電力量計ベース部から正面側に離脱するのを阻止され、前記第２の嵌合部の前記第２のカバー側嵌合部と前記第２の嵌合部の前記第２のベース側嵌合部とが嵌合して前記第２の嵌合部において電力量計本体部端子部共用カバーが前記電力量計ベース部から正面側に離脱するのを阻止されるものである。
【手続補正３】
【補正対象書類名】明細書
【補正対象項目名】０００８
【補正方法】変更
【補正の内容】
【０００８】
この発明は、電力量計の機能部である電力量計本体部が正面側に配設されると共に前記電力量計本体部の隣に位置して正面側に電力量計端子部が設けられた電力量計ベース部、及び前記電力量計本体部をカバーする電力量計本体部カバー部と前記電力量計端子部をカバーする電力量計端子部カバー部と前記電力量計本体部カバー部の前記電力量計ベース部の側に位置する嵌合用スカート部と前記嵌合用スカート部から延在し前記電力量計端子部カバー部の両側に位置する対を成す可撓性腕部とが一体に形成された電力量計本体部端子部共用カバーを備え、前記嵌合用スカート部の前記電力量計端子部と反対側に位置する部
分に形成された第１のカバー側嵌合部と前記電力量計ベース部の前記電力量計端子部と反対側に位置する部分に形成された第１のベース側嵌合部とで第１の嵌合部が形成され、前記対を成す可撓性腕部の各自由端に形成された第２のカバー側嵌合部と前記電力量計ベース部に前記対を成す可撓性腕部に対応して設けられた対を成す第２のベース側嵌合部とで第２の嵌合部が形成され、前記対を成す可撓性腕部の各内側に突設され正面から見た形状が直角三角形状の三角柱状の対を成すカバー側係止部と前記電力量計ベース部に前記対を成すカバー側係止部に対応して設けられ正面から見た形状が直角三角形状の三角柱状の対を成すベース側係止部とでスナップフィット係止部が形成され、前記電力量計本体部端子部共用カバーの前記嵌合用スカート部を前記電力量計ベース部の外周部に嵌合して前記電力量計本体部カバー部が前記電力量計本体部をカバーし前記電力量計端子部カバー部が前記電力量計端子部をカバーしている状態で、前記電力量計本体部端子部共用カバーが、前記電力量計本体部から前記電力量計端子部の方向へ移動されることにより、前記可撓性腕部の撓みにより前記スナップフィット係止部が作動して前記電力量計本体部端子部共用カバーの前記電力量計本体部から前記電力量計端子部の方向と逆の方向への移動が阻止され、前記第１の嵌合部の前記第１のカバー側嵌合部と前記第１の嵌合部の前記第１のベース側嵌合部とが嵌合して前記第１の嵌合部において電力量計本体部端子部共用カバーが前記電力量計ベース部から正面側に離脱するのを阻止され、前記第２の嵌合部の前記第２のカバー側嵌合部と前記第２の嵌合部の前記第２のベース側嵌合部とが嵌合して前記第２の嵌合部において電力量計本体部端子部共用カバーが前記電力量計ベース部から正面側に離脱するのを阻止されるので、電力量計ベース部１への電力量計本体部端子部共用カバーの取り付けにネジを使用する必要はなく、電力量計ベース部１への電力量計本体部端子部共用カバーの取り付けが堅固に行われ、しかも電力量計本体部端子部共用カバーを電力量計ベース部から簡単には取り外すことができないという効果がある。